(57)【要約】      （修正有）【課題】  自己撮影する時の構図上の問題を解決する新しい撮影システムを提供する。【解決手段】  無線通信によって画像データを捉え、送信する撮影装置と、ディスプレイとを含み、前記撮影装置と無線通信を開始し、前記無線通信によって前記撮影装置をコントロールし、前記画像装置から画像データを受け、前記受けた画像データを前記ディスプレイに表示するリモコンとを含む。【選択図】図１
2006013881.tif 000002
【特許請求の範囲】
【請求項１】
無線通信によって画像データを捉え、送信する撮影装置と、ディスプレイとを含み、
前記撮影装置と無線通信を開始し、前記無線通信によって前記撮影装置をコントロールし、前記画像装置から画像データを受け、前記受けた画像データを前記ディスプレイに表示するリモコンとを含む撮影システム。
【請求項２】
前記リモコンは、モバイル機器を含む請求項１に記載のシステム。
【請求項３】
前記リモコンは、携帯電話または携帯情報端末（ＰＤＡ）を含む請求項２に記載のシステム。
【請求項４】
前記リモコンは、無線通信によって前記撮影装置にズーム信号を伝送し、前記撮影装置は、前記ズーム信号を受け、ズームを行い、第二画像データを捉え、前記リモコンは、続いて、前記撮影装置からの前記第二画像データを受け、それを前記ディスプレイに表示する請求項１に記載のシステム。
【請求項５】
前記無線通信は、少なくとも無線ＬＡＮ（ＷＬＡＮ）、ブルートゥース、または赤外線に適合する請求項１に記載のシステム。
【請求項６】
前記撮影装置は、更に、伝送前の前記画像データを含み、前記リモコンは、更に、ディスプレイ前の前記圧縮した画像データを復原する請求項１に記載のシステム。
【請求項７】
前記撮影装置は、更に、前記画像データをデータフレームに分割し、前記リモコンは、更に、前記データフレームを前記画像データに集める請求項１に記載のシステム。
【請求項８】
画像を表示するディスプレイと、
無線通信によって、前記撮影装置で捉えた画像データを受ける通信ユニットと、
前記ディスプレイと前記通信ユニットを接続し、前記ディスプレイを用いて前記受けた画像データを表示する処理ユニットとを含む無線通信によって撮影装置をコントロールするリモコン。
【請求項９】
前記リモコンは、モバイル機器を含む請求項８に記載のリモコン。
【請求項１０】
前記モバイル機器は、携帯電話または携帯情報端末（ＰＤＡ）を含む請求項９に記載のリモコン。
【請求項１１】
前記リモコンは、無線通信によって前記撮影装置にズーム信号を伝送し、続いて前記撮影装置からの第二画像データを受け、それを前記ディスプレイに表示し、前記第二画像データは、前記撮影装置が前記ズーム信号を受け、前記ズーム信号に基づいてズームを行った後、前記撮影装置によって捉えられる請求項８に記載のリモコン。
【請求項１２】
前記無線通信は、少なくとも無線ＬＡＮ（ＷＬＡＮ）、ブルートゥース、または赤外線に適合する請求項８に記載のリモコン。
【請求項１３】
ディスプレイを備える前記リモコンを提供するステップと、
前記撮影装置と無線通信を開始するステップと、
前記無線通信によって前記撮影装置で捉えた画像データを受けるステップと、
前記受けた画像データを前記ディスプレイに表示するステップとを含む無線通信によって撮影装置をコントロールするリモコンに実施されるリモコン方法。
【請求項１４】
無線通信によって前記撮影装置にズーム信号を伝送するステップと、
前記撮影装置から第二画像データを受け、前記撮影装置が前記ズーム信号を受け、前記ズーム信号に基づいてズームを行った後、前記撮影装置によって捉えられるステップと、
前記第二画像データを前記ディスプレイに表示するステップとを更に含む請求項１３に記載の方法。
【請求項１５】
前記リモコンは、モバイル機器を含み、前記画像データをアナログ形式の信号で受ける請求項１３に記載の方法。
【請求項１６】
前記リモコンは、モバイル機器を含み、前記画像データをデジタル形式の信号で受ける請求項１３に記載の方法。
【請求項１７】
前記無線通信は、少なくとも無線ＬＡＮ（ＷＬＡＮ）、ブルートゥース、または赤外線に適合する請求項１３に記載の方法。
【請求項１８】
圧縮した画像データを受けるステップと、
前記表示するステップの前に、前記圧縮した画像データを前記画像データに復原するステップとを更に含む請求項１３に記載の方法。
【請求項１９】
データフレームを受けるステップと、
前記表示するステップの前に、前記データフレームを前記画像データに集めるステップとを更に含む請求項１３に記載の方法。
【発明の詳細な説明】
【技術分野】
【０００１】
本発明は、撮影装置に関し、特に、撮影装置で捉えた画像をリアルタイムで表示できるリモコンに関するものである。
【背景技術】
【０００２】
写真を撮る時、撮影者は、そのリモコンを用いて自己の写真を撮ることができる。通常、撮影者は、カメラの後ろでカメラのレンズを調節する。調節後、撮影者はカメラの前でリモコンを用いて写真を撮る。リモコンは、他にサポートを必要とせず、撮影者に自己の写真を撮らせることができ、セルフタイマーに取って代わることができる。
【０００３】
しかしながら、カメラの前の撮影者は、その光景を見ることができない。したがって、撮影者は、カメラの前にいる時、通常、焦点を合せない。よって、リモコンは通常、シャッターを押すことのみに用いられる。
【０００４】
例えば、いくつかのカメラのリモコンは、ズーム機能を提供する。しかし、ズーム機能は、撮影者がカメラに写る光景を見ることができないことから意味をなさない。
【０００５】
また、回転レンズまたは回転ディスプレイを備える旋回装置を含むカメラは、撮影者がレンズの前にいる時にカメラの光景を見ることができるようにしている。しかし、ディスプレイのサイズは、撮影者からの距離がある時、容易に見られるほどの大きさがない。グループ撮影の時、撮影者がその中に入る場合、撮影者はカメラから遠いこともある。したがって、カメラのディスプレイは、自己撮影の構図に活用することができない。
【０００６】
従来のカメラのリモコンは、シャッター制御に使うとよいが、構図の補助としては、不十分である。実際、上述の場合、撮影者はその焦点をかえるためにカメラの前に戻らなくてはならい。仮にリモコンが複数のカメラレンズのズーム機能といった調節機能を提供しても、調節機能は、不十分である。よって、問題が従来の撮影装置の効率的な操作に不便を招き、そのリモコンは、不便である。
【０００７】
したがって、自己撮影を構図する時、上述の構図上の問題を解決できる新しい撮影システムが必要となる。
【発明の開示】
【発明が解決しようとする課題】
【０００８】
これに鑑みて、本発明の目的は、自己撮影する時の上述の構図上の問題を解決する新しい撮影システムを提供する。
【課題を解決するための手段】
【０００９】
上述の目的を達成するために、本発明は、撮影装置とリモコンを含む撮影システムを提供する。撮影装置は、無線通信によって画像データを捉え、出力する。リモコンは、無線通信によって撮影装置をコントロールすることができるディスプレイを含み、そこからリアルタイムの画像データ受けて表示する。
【００１０】
また、本発明は、画像を表示するディスプレイと、通信ユニットと処理ユニットを含む無線通信によって撮影ユニットをコントロールするリモコンを提供する。通信ユニットは、無線通信によって撮影装置で捉えた画像データを受ける。処理ユニットは、ディスプレイと通信ユニットを接続し、受けた画像データをディスプレイに表示する。
【００１１】
本発明はまた、無線通信によって撮影装置をコントロールするリモコンに実施される方法を提供する。まず、リモコンは、ディスプレイを備えて提供される。次に、撮影装置の無線通信が開始される。撮影装置によって捉えた画像データは、無線通信によって受信され、受信した画像データは、ディスプレイに表示される。
【発明の効果】
【００１２】
本発明のリモコンによれば、撮影装置によって捉えたリアルタイムの画像データをディスプレイすることができ、写真の構図を容易にすることができる。
【発明を実施するための最良の形態】
【００１３】
本発明についての目的、特徴、長所が一層明確に理解されるよう、以下に実施形態を例示し、図面を参照にしながら、詳細に説明する。
【実施例】
【００１４】
本発明は、自己撮影を構図するディスプレイ補助を含むリモコンの撮影システムを提供する。
【００１５】
図１は、本発明の好適な実施例に基づいた撮影システムである。撮影システムは、カメラ２０とリモコン１０とを含む。注意するのは、カメラ２０は、他の撮影装置でもよい。
【００１６】
図２は、本発明の好適な実施例のカメラのブロック図である。カメラ２０は、処理ユニット２１と、通信ユニット２２と、画像キャプチャーユニット２３とズームユニット２４とを含む。処理ユニット２１は、通信ユニット２２、画像キャプチャーユニット２３とズームユニット２４に接続する。
【００１７】
処理ユニット２１は、ズームユニット２４によってカメラ２０のレンズ（未表示）を調節する。画像キャプチャーユニット２３は、光を感知し、処理ユニット２１に画像信号を発し、画像を処理する。通信ユニット２２は、リモコン１０に処理した画像データを伝送する。
【００１８】
図３は、本発明の好適な実施例のリモコンのブロック図である。リモコン１０は、処理ユニット１、通信ユニット２、ディスプレイ３と入力ユニット４を含む。処理ユニット１は、通信ユニット２、ディスプレイ３と入力ユニット４に接続する。
【００１９】
入力ユニット４は、ユーザーの操作に基づいてズーム、またはシャッター信号を出す。通信ユニット２は、カメラ２０にズーム、またはシャッター信号を出し、そこから画像データを受ける。処理ユニット１は、画像データを処理し、ディスプレイ３に画像データを伝送し、表示する。
【００２０】
図４Ａ及び図４Ｂは、本発明の実施例に基づいた撮影システムの操作のフローチャートである。まず、リモコン１０は、カメラ２０と無線通信を始める（ステップＳ１）。カメラ２０は、リモコン１０と無線通信を始める（ステップＳ２）。注意するのは、無線通信の開始は、カメラ２０またはリモコン１０によってリクエストすることができる。実施例では、カメラ２０とリモコン１０は、デジタル信号の形式、配列で画像データを伝送するが、本発明を限定するものではない。もう１つの例では、画像データは、カメラ２０によってもう１つの形式、例えばアナログ信号で伝送することができる。例えば、画像データがアナログ信号で伝送された場合、画像キャプチャーユニット２３で捉えた後、画像データは、高周波信号に転換され、リモコン１０に伝送される。
【００２１】
通信プロトコルは、カメラ２０とリモコン１０間の無線通信を開始するのに用いられる。例えば、固定周波数の信号標識を出し、リモコン１０は、信号標識を捜す。リモコン１０が信号標識見つけた時、リモコン１０は固定周波数によってカメラ２０と通信する。実施例では、カメラ２０とリモコンが固定周波数によって通信するが、本発明を限定するものではない。例えば、周波数ホッピングといったその他のプロトコルまたは通信技術も適用することができる。
【００２２】
続いて、カメラ２０の画像キャプチャーユニット２３は、画像データ３０を捉え（ステップＳ４）、画像データ３０を処理ユニット２１に送る。処理ユニット２１は、画像データ３０を処理する（ステップＳ５）。実施例では、画像処理ステップは、画像データのサンプリングと画像データのアナログ・デジタル変換を含む。更に、処理ユニット２１は、アナログ・デジタル変換後、画像データをデータフレームに分割し、データフレームを圧縮する。続いて、通信ユニット２２は、処理ユニット２１によってつくられたデータフレームを伝送する。画像データの処理ステップは、上述に説明されたが本発明を限定するものではない。例えば、画像データは、分割またはアナログ・デジタル変換を行うことなく、圧縮され、伝送することも可能である。
【００２３】
カメラ２０の通信ユニット２２は、無線通信によって、画像データ３０を含んだ圧縮されたデータフレームをリモコン１０に伝送する（ステップ６）。カメラ２０は、画像キャプチャー、処理と伝送を繰り返す。
【００２４】
リモコン１０は、通信ユニット２によって、画像データ３０を含んだ圧縮されたデータフレームを受ける（ステップＳ１０）。通信ユニット２は、画像データ３０を含んだ圧縮されたデータフレームを処理ユニット１に伝送する。
【００２５】
リモコン１０の処理ユニット１は、画像データ３０を処理する（ステップＳ１２）。画像処理の間、処理ユニット１は、圧縮されたデータフレームを復原し、データフレームを画像データ３０に集める。別の場合では、仮に、画像データ３０がデータフレームに分割されなければ、処理ユニット１は、画像処理ステップで、圧縮された画像データを画像データ３０に直接、復原する。
【００２６】
実施例では、ディスプレイ３は、デジタル画像データを受けることができる。処理ユニット１は、画像処理後、画像データ３０をディスプレイ３に出力し、ディスプレイ３は、画像データ３０を表示する（ステップＳ１４）。
【００２７】
注意するのは、実施例では、ディスプレイ３は、デジタル画像データを受けることができるが、これは本発明を限定するものではない。別の場合では、アナログ画像データを受けることが可能なディスプレイを用いることができ、デジタル画像データは、伝送される前にアナログデータに転換され、ディスプレイに表示される。
【００２８】
実施例では、リモコン１０は、カメラ２０によって捉えられた画像データを表示することができる。したがって、リモコン１０のユーザーが自己の写真またはグループ写真をとりたい時、リモコン１０は、ユーザーの構図を補助することができる。リモコン１０がカメラ２０の焦点を調節する時、リモコン１０は、即時（リアルタイム）の画像データを表示することができる。リモコン１０がズーム機能を提供する例が下記に説明される。ズーム機能が調節機能として説明されるが、その他の機能もリモコン１０によって提供することができる。
【００２９】
ユーザーが入力ユニット４を操作する時、入力ユニット４は、ズーム信号４０を発する。ズーム信号４０を受け、処理ユニット１は、無線通信によって通信ユニット２によってズーム信号４０をカメラ２０に伝送する（ステップＳ１６）。
【００３０】
ズーム信号４０を受けた後（ステップＳ１８）、カメラ２０の処理ユニット２１は、ズームユニット２４を用いたズーム信号４０に基づいてカメラ２０のレンズを調節する（ステップＳ２０）。ズームのプロセスでは、画像キャプチャーユニット２３は、ズームされた光景の画像データを捉える。処理ユニット２１は、無線通信によって通信ユニット２２でズーム画像データをリモコン１０に伝送する。カメラレンズの調節が完了した時、画像キャプチャーユニット２３は、ズームされた画像データ３１を捉え（ステップＳ２２）、ズームされた画像データ３１を処理ユニット２１に伝送する。処理ユニット２１は、ズームされた画像データ３１を処理する（ステップＳ２４）。通信ユニット２２は、無線通信によって処理ユニット２１で作られたズームされた画像データ３１を伝送する（ステップＳ２６）。
【００３１】
リモコン１０の通信ユニット２は、ズームされた画像データ３１を受け（ステップＳ２８）、ズームされた画像データ３１を処理ユニット１に送信する。処理ユニット１は、ズームされた画像データ３１を処理し（ステップＳ３０）、ズームされた画像データ３１をディスプレイ３に伝送する。ディスプレイ３は、ズームされた画像データ３１を表示する（ステップＳ３２）。
【００３２】
したがって、リモコン１０は、カメラ２０によって捉えた調節したズームされた画像データを表示し、写真の構図を補助する。撮影者は、更に、ディスプレイ３に表示された画像に基づいてカメラレンズを調節することができる。
カメラ２０とリモコン１０間の通信は、無線ＬＡＮ（ＷＬＡＮ）のフレームワーク、または例えば、ブルートゥースまたは赤外線などのその他の方法に適合することができる。
【００３３】
本発明のディスプレイを備えたリモコンは、モバイル通信装置または、モバイルコンピューティング装置を含むモバイル機器を含むことができ、例えば、携帯電話や携帯情報端末（ＰＤＡ）など、両方とも通常、ディスプレイを備えて提供される。本発明のリモコンを含むモバイル機器は、更に、カメラをコントロールする性能の特徴があり、そのコントロールの性能は、シャッター、ズームコントロールまたはその他を含むことができ、無線通信によって、カメラで捉えた画像データを受け、表示する。注意するのは、本発明のモバイル機器は、カメラに一体となって無線通信を開始する。
【００３４】
本発明のモバイル機器では、カメラ制御とリアルタイム画像ディスプレイの外に、例えば、ショートメッセージ通信、電話、またはその他の携帯電話を含む時、無線通信機能を行い、例えば、スケジュール編集器、ノートブック、ボイスレコーダ、計算機、文書編集、またはその他のモバイルコンピューティング装置を含むとき、情報処理機能を行う。
【００３５】
実施例では、上述のようにリモコン１０がズーム信号４０を出力し、カメラ２０を調節するが、リモコン１０は、例えば、フラッシュコントロール、ダイヤフラム調節などのその他の調節機能を提供することができる。
【００３６】
カメラ２０は、本発明の好適な実施例の撮影装置の例として説明されているが、本発明の撮影装置は、例えば、ビデオカメラなど、その他の撮影装置を含むことができる。
【００３７】
よって、本発明の撮影装置は、撮影者により良い利便性と柔軟性を提供し、リモコン装置、モバイル装置、撮影装置の機能性を高める。
【００３８】
以上、本発明の好適な実施例を例示したが、これは本発明を限定するものではなく、本発明の精神及び範囲を逸脱しない限りにおいては、当業者であれば行い得る少々の変更や修飾を付加することは可能である。従って、本発明が保護を請求する範囲は、特許請求の範囲を基準とする。
【図面の簡単な説明】
【００３９】
【図１】本発明の好適な実施例に基づいた撮影システムである。
【図２】本発明の好適な実施例のカメラのブロック図である。
【図３】本発明の好適な実施例のリモコンのブロック図である。
【図４Ａ】本発明の実施例に基づいた撮影システムの操作のフローチャートである。
【図４Ｂ】図４Ａのフローチャートのつづきである。
【符号の説明】
【００４０】
１    処理ユニット
２    通信ユニット
３    ディスプレイ
１０  リモコン
２０  カメラ
２１  処理ユニット
２２  通信ユニット
２３  画像キャプチャーユニット
４    入力ユニット
２４  ズームユニット
３０、３１  画像データ
４０  ズーム信号
【図１】
2006013881.tif 000003
【図２】
2006013881.tif 000004
【図３】
2006013881.tif 000005
【図４Ａ】
2006013881.tif 000006
【図４Ｂ】
2006013881.tif 000007